(57)【特許請求の範囲】
【請求項１】
レンズを構成する２つの屈折面のうち少なくとも１つの屈折面が、前記レンズのほぼ中央を通る主子午線に沿って、曲率半径が累進的に変化する領域（以下累進帯と呼ぶ）を持ち、前記主子午線上の遠用中心と近用中心の間で所定の加入度数が付加される眼鏡レンズにおいて、前記累進帯の開始点と終了点の間にフィッティングポイントを有し、かつ前記累進帯の開始点から前記フィッティングポイント近傍までの加入度数の平均勾配と、前記フィッティングポイント近傍から前記累進帯の終了点までの加入度数の平均勾配が異なり、かつ前記フィッティングポイントにおける前記眼鏡レンズの屈折力をＦＰディオプトリー、前記眼鏡レンズの遠用屈折力をＤＰディオプトリーとしたとき、
ＦＰ−ＤＰ＝０．５        （単位：ディオプトリー）
なる関係が成り立つことを特徴とする眼鏡レンズ。
【発明の詳細な説明】
【０００１】
【産業上の利用分野】
本発明は老視矯正用眼鏡レンズに係わり、特に中間距離から近距離を明視するための累進多焦点レンズに関する。
【０００２】
【従来の技術】
老視の矯正には単焦点レンズやバイフォーカルレンズ、累進多焦点レンズ等が用いられている。これらの中でも特に累進多焦点レンズは、遠方視時と近方視時で眼鏡の掛け変えや掛けはずしがいらずまた、見た目にもバイフォーカルレンズのような境目がなく、その需要はかなり高まってきた。
【０００３】
しかし累進多焦点レンズには、視野のゆれ・歪み等の問題があり、さらにはその構造上どうしても遠中近それぞれの視野が狭く、特に手元から中間距離までの視野が必要となる作業では明視できる領域が非常に狭いため、室内等での使用にはあまり向いていなかった。
【０００４】
この様な背景の中で、特開昭６２−１０６１７に開示された、中間距離から近方視時を重視した設計の中近両用累進多焦点レンズが注目されてきた。中近両用累進多焦点レンズは一般の遠近両用累進多焦点レンズと比較したとき、ゆれや歪みが少なく、手元から中間距離までの視野も広く、特に室内では使いやすい眼鏡レンズといわれている。
【０００５】
【発明が解決しようとする課題】
しかしながら、特開昭６２−１０６１７の累進多焦点レンズは、眼鏡装着者の加入度数により、フィッティングポイント（アイポイント）近傍で明視できる距離が変わってしまうという問題点がある。
【０００６】
例えば図１のごとく累進多焦点レンズの座標系を定義し、フィッティングポイントをＯで表し、眼鏡装着者の遠用処方がＳ０．００ディオプトリー（正視）だったとする。この時、特開昭６２−１０６１７の累進多焦点レンズの主子午線上の屈折力の変化は、加入度数が１．０ディオプトリーの時、図２のＡで示され、加入度数２．０ディオプトリーの時同図Ｂ、加入度数３．０ディオプトリーの時Ｃで表される。フィッティングポイントでの屈折力は、同図Ｙ＝Ｏの時であり、装着者の加入度数がＡならば０．４ディオプトリー、Ｂならば０．８ディオプトリー、Ｃならば１．２ディオプトリー、それぞれ遠用屈折力に対し付加されている。従って、加入度数Ａの人はフィッティングポイント近傍で２．５ｍ、Ｂの人は１．２５ｍ、Ｃの人に至っては０．８３ｍまでしか明視できないことになる。人間が中間距離を注視するときの視線は一般的に水平からやや下方になるため、特に室内用累進多焦点レンズ又は、中近両用累進多焦点レンズでは、眼鏡使用者がどの様な加入度数であっても、フィッティングポイント近傍で、約２ｍ位先が明視できることが好ましい。特開昭６２−１０６１７の累進多焦点レンズでは、眼鏡使用者の加入度数が強くなると、フィッティングポイント近傍で数十センチメートル先しか明視できない。
【０００７】
本発明の目的はこれらの問題を解決できる、中近距離を重視した設計の、眼鏡レンズを提供するものである。
【０００８】
【課題を解決するための手段】
本発明の眼鏡レンズは、レンズを構成する２つの屈折面のうち少なくとも１つの屈折面が、前記レンズのほぼ中央を通る主子午線に沿って累進帯を持ち、前記主子午線上の遠用中心と近用中心の間で所定の加入度数が付加される眼鏡レンズにおいて、前記累進帯の開始点と終了点の間にフィッティングポイントを有し、かつ前記累進帯の開始点から前記フィッティングポイント近傍までの加入度数の平均勾配と、前記フィッティングポイント近傍から前記累進帯の終了点までの加入度数の平均勾配が異なり、かつ前記フィッティングポイントにおける前記眼鏡レンズの屈折力をＦＰディオプトリー、前記眼鏡レンズの遠用屈折力をＤＰディオプトリーとしたとき、
ＦＰ−ＤＰ＝０．５        （単位：ディオプトリー）
なる関係が成り立つことを特徴とする。
【０００９】
本発明の眼鏡レンズは加入度数によらず、フィッティングポイントにおいて遠用屈折力ＤＰに所定の屈折力を付加してある。付加すべき所定の屈折力であるが、前記眼鏡レンズの遠用屈折力に対し、０．５ディオプトリーが好ましい。これはフィッティングポイント近傍で約２ｍ先が明視できると、普段の生活で違和感無く使用できるためである。但し使用環境によっては、フィッティングポイント近傍で明視できる距離が、前述値に対し±１ｍまでは同等の効果があるため、上記の関係式となる。
【００１０】
【実施例】
本発明の実施例を図面に基づいて説明する
図３は本発明の眼鏡レンズの座標系を表すものであり、主子午線をＹ軸に置き、フィッティングポイントをＯ、累進帯開始点の座標をＰ、累進帯終了点の座標をＱ、眼鏡レンズ最上端部の座標をＲ、最下端部の座標をＳで示してある。図４は本発明の眼鏡レンズの主子午線上の屈折力の変化の数例を表しており、ＤＰを本発明の眼鏡レンズの遠用屈折力としたとき、もし使用者の加入度数が１．０ディオプトリーならば図中Ａの線で表され、加入度数が２．０、３．０ディオプトリーならばそれぞれＢ、Ｃの線で表される。またＦＰは本発明の眼鏡レンズのフィッティングポイントＯにおける屈折力を示している。図４において、本発明の眼鏡レンズ使用者は、ＲからＰの領域を通して遠方視を行い、ＱからＳの領域を通して近方視、そしてＰからＱの間の累進帯で中間距離を見るわけである。
【００１１】
そしてフィッティングポイントＯにおいて、眼鏡レンズの遠用屈折力に対し付加されている屈折力を、加入度数によらず一定にすると、図４でＰからＯの勾配も、ＦＰの位置も加入度数によらず一定となり、ＯからＱの区間で、加入度数により使用者の近用処方まで累進的に屈折力が変化する。従って累進帯ＰからＱの間で、ＰＯ間の屈折力勾配と、ＯＱ間の屈折力勾配は原則として変わってくるのが特徴となる。
【００１２】
また屈折力の勾配は図４の様に直線でなくとも、図５に示すごとく曲線状になっていても同等の効果が期待できる。
【００１３】
図６に、一例として遠用屈折力Ｓ０．００ディオプトリー、加入度数３．０ディオプトリーの、本発明の眼鏡レンズの主子午線上の屈折力の変化及び、累進帯の長さ等、具体的な値として示した。累進帯はフィッティングポイントＯの１０ｍｍ上から始まり、フィッティングポイントＯの１５ｍｍ下まで、２５ｍｍとってある。これは屈折力勾配をできる限り緩やかにとることにより、ゆれや歪みを抑え、かつ遠用部領域、近用部領域を確保するためである。フィッティングポイントＯでは、遠用屈折力に対し０．５ディオプトリーの付加なので、使用者は２ｍ先が明視でき、それより遠くは視線をやや上にすることにより、近くは下にすることにより見ることができるので室内での生活環境に非常に適している。
【００１４】
【発明の効果】
以上の如く、本発明の眼鏡レンズによれば、眼鏡使用者の遠用処方や加入度数によらず、フィッティングポイント近傍において約２ｍ先を明視でき、中間距離から手元まで非常に広い視野を得ることができる。
【図面の簡単な説明】
【図１】累進多焦点レンズの座標系を示した平面図。
【図２】特開昭６２−１０６１７の主子午線上の屈折力変化図。
【図３】本発明の眼鏡レンズの座標系を示した平面図。
【図４】本発明の眼鏡レンズの主子午線上の屈折力変化図。
【図５】本発明の眼鏡レンズの主子午線上の屈折力変化図。
【図６】本発明の眼鏡レンズの主子午線上の屈折力変化図。
【符号の説明】
Ｏ  ・・・・・フィッティングポイント（アイポイント）
Ｐ  ・・・・・累進帯開始点
Ｑ  ・・・・・累進帯終了点
Ｒ  ・・・・・眼鏡レンズ最上端部
Ｓ  ・・・・・眼鏡レンズ最下端部
ＤＰ・・・・・遠用屈折力
ＦＰ・・・・・フィッティングポイントにおける屈折力
Ａ  ・・・・・加入度数１．０ディオプトリーの時の主子午線上の屈折力変化
Ｂ  ・・・・・加入度数２．０ディオプトリーの時の主子午線上の屈折力変化
Ｃ  ・・・・・加入度数３．０ディオプトリーの時の主子午線上の屈折力変化
【図１】
0003853849.tif 000002
【図２】
0003853849.tif 000003
【図３】
0003853849.tif 000004
【図４】
0003853849.tif 000005
【図５】
0003853849.tif 000006
【図６】
0003853849.tif 000007